(57)【特許請求の範囲】
【請求項１】
遊技領域が前面に形成された遊技盤と、
前記遊技盤より前側で前記遊技領域の少なくとも一部が前記遊技領域に対向した位置から視認可能となるように間隔をあけて配置された１対の対向部材と、
前記１対の対向部材のうち互いに対向する面に形成されて、平行又は略平行に配置された第１と第２の装飾部と、
前記第１の装飾部を光らせる発光手段と、を備え、
前記第２の装飾部には、前記第１の装飾部が光ったときに前記第１の装飾部の装飾が投影される装飾投影面が形成され、
前記第１の装飾部は、前記装飾投影面と同一又は類似の形状をなす共通装飾面を有し、前記装飾投影面に前記第１の装飾部の前記共通装飾面が投影され、
前記共通装飾面及び前記装飾投影面は、前後の中心線に対して非対称な形状をなし、前記共通装飾面は、前後方向で前記装飾投影面と同じ向きに配置されたことを特徴とする遊技機。
【請求項２】
前記遊技盤の前方を覆い、かつ、前記遊技領域を視認可能にする視認部と前記視認部の四方を囲む枠部とを有した前面カバーを備え、
前記１対の対向部材は、前記枠部のうち前記視認部を挟んで対向する部分から前方に突出することを特徴とする請求項１に記載の遊技機。
【請求項３】
前記第１の装飾部が形成された前記対向部材の前記枠部からの突出量は、前記第１の装飾部が施される大きさであり、
前記第２の装飾部が形成された前記対向部材の前記枠部からの突出量は、前記第１の装飾部が形成された前記対向部材の面と垂直な方向から見たときに前記第１の装飾部と前記装飾投影面の少なくとも一部とが重なるように、前記装飾投影面を配置可能な大きさであることを特徴とする請求項２に記載の遊技機。
【請求項４】
前記装飾投影面を前記第１の装飾部側から覆いかつ前記第１の装飾部側へ凸状に湾曲した透明カバーを備えたことを特徴とする請求項１乃至３のうち何れか１の請求項に記載の遊技機。
【請求項５】
前記透明カバーは、前記第２の装飾部が形成された前記対向部材に設けられて、遊技者が操作可能な操作部であることを特徴とする請求項４に記載の遊技機。
【請求項６】
前記発光手段は、前記第１の装飾部が形成された前記対向部材に内蔵された発光素子であり、
前記第１の装飾部が形成された前記対向部材の大きさは、前記第１の装飾部が施される大きさであり、
前記第２の装飾部が形成された前記対向部材の大きさは、前記第１の装飾部が形成された前記対向部材の面と垂直な方向から見たときに前記第１の装飾部と前記装飾投影面の少なくとも一部とが重なるように、前記装飾投影面を配置可能な大きさであることを特徴とする請求項１乃至５のうち何れか１の請求項に記載の遊技機。
【発明の詳細な説明】
【技術分野】
【０００１】
本発明は、発光手段によって光る装飾部を備えた遊技機に関する。
【背景技術】
【０００２】
従来、この種の遊技機として、装飾部を内部から光らせることで、装飾部の装飾性の向上を図ったものが知られている（例えば、特許文献１参照）。
【先行技術文献】
【特許文献】
【０００３】
【特許文献１】特開２００９−１７２２１６号公報（［００２８］、図７）
【発明の概要】
【発明が解決しようとする課題】
【０００４】
しかしながら、上述した従来の遊技機では、装飾部が単に光るだけであって、装飾部の装飾性の更なる向上が求められていた。
【０００５】
本発明は、上記事情に鑑みてなされたもので、装飾部の装飾性を高めることが可能な遊技機の提供を目的とする。
【課題を解決するための手段】
【０００６】
上記目的を達成するためになされた請求項１の発明に係る遊技機は、遊技領域が前面に形成された遊技盤と、遊技盤より前側で遊技領域の少なくとも一部が遊技領域に対向した位置から視認可能となるように間隔をあけて配置された１対の対向部材と、１対の対向部材のうち互いに対向する面に形成されて、平行又は略平行に配置された第１と第２の装飾部と、第１の装飾部を光らせる発光手段と、を備え、第２の装飾部には、第１の装飾部が光ったときに第１の装飾部の装飾が投影される装飾投影面が形成され、第１の装飾部は、装飾投影面と同一又は類似の形状をなす共通装飾面を有し、装飾投影面に第１の装飾部の共通装飾面が投影され、共通装飾面及び装飾投影面は、前後の中心線に対して非対称な形状をなし、共通装飾面は、前後方向で装飾投影面と同じ向きに配置されたところに特徴を有する。
【０００７】
請求項２の発明は、請求項１に記載の遊技機において、遊技盤の前方を覆い、かつ、遊技領域を視認可能にする視認部と視認部の四方を囲む枠部とを有した前面カバーを備え、１対の対向部材は、枠部のうち視認部を挟んで対向する部分から前方に突出するところに特徴を有する。
【０００８】
請求項３の発明は、請求項２に記載の遊技機において、第１の装飾部が形成された対向部材の枠部からの突出量は、第１の装飾部が施される大きさであり、第２の装飾部が形成された対向部材の枠部からの突出量は、第１の装飾部が形成された対向部材の面と垂直な方向から見たときに第１の装飾部と装飾投影面の少なくとも一部とが重なるように、装飾投影面を配置可能な大きさであるところに特徴を有する。
【０００９】
請求項４の発明は、請求項１乃至３のうち何れか１の請求項に記載の遊技機において、装飾投影面を第１の装飾部側から覆いかつ第１の装飾部側へ凸状に湾曲した透明カバーを備えたところに特徴を有する。
【００１０】
請求項５の発明は、請求項４に記載の遊技機において、透明カバーは、第２の装飾部が形成された対向部材に設けられて、遊技者が操作可能な操作部であるところに特徴を有する。
【００１１】
請求項６の発明は、請求項１乃至５のうち何れか１の請求項に記載の遊技機において、発光手段は、第１の装飾部が形成された対向部材に内蔵された発光素子であり、第１の装飾部が形成された対向部材の大きさは、第１の装飾部が施される大きさであり、第２の装飾部が形成された対向部材の大きさは、第１の装飾部が形成された対向部材の面と垂直な方向から見たときに第１の装飾部と装飾投影面の少なくとも一部とが重なるように、装飾投影面を配置可能な大きさであるところに特徴を有する。
【発明の効果】
【００１２】
［請求項１、２の発明］
請求項１の発明によれば、１対の対向部材のうち互いに対向する面に、平行又は略平行に配置された第１と第２の装飾部を備え、第１の装飾部が光ったときに、第２の装飾部に形成された装飾投影面に第１の装飾部の装飾が投映される。このように、本発明によれば、第１の装飾部が光るだけでなく、その第１の装飾部の装飾が第２の装飾部の装飾投影面にも投影されるので、装飾部の装飾性を高めることが可能になる。また、本発明によれば、装飾投影面と同一又は相似の形状をなす共通装飾面が装飾投影面に投影されるので、２つの装飾が重なるように見せることが可能になる。
【００１３】
ここで、１対の対向部材は、遊技盤から前方に突出する構成であってもよいし、請求項２の発明のように、遊技盤の前方を覆い、かつ、遊技領域を視認可能にする視認部と視認部の四方を囲む枠部とを有した前面カバーを備えて、その枠部のうち視認部を挟んで対向する部分から前方に突出する構成であってもよい。なお、請求項２の発明によれば、遊技領域に他の部材を配置するスペースを確保することが可能になる。
【００１４】
また、請求項２の発明において、１対の対向部材は、枠部の左右の辺部から前方に迫り出した部分に形成されてもよいし、枠部の上辺部と下辺部とから前方に迫り出した部分に形成されてもよい。なお、後者の構成によれば、遊技機が設置される室内の照明によって第１の装飾部の光が相対的に弱まることを抑えることが可能となる。
【００１５】
また、発光手段は、対向部材の外側から第１の装飾部に光を照射することで第１の装飾部を光らせる構成であってもよいし、第１の装飾部が形成された対向部材に内蔵された構成であってもよい。なお、後者の構成によれば、外部光の影響を抑えて第１の装飾部を強く光らせることが可能となる。
【００１６】
［請求項３の発明］
請求項３の発明によれば、第１の装飾部を装飾投影面に投影させ易くすることが可能となる。
【００１７】
［請求項４の発明］
請求項４の発明によれば、第１の装飾部からの光を透明カバーによって装飾投影面に集光することが可能となる。
【００１８】
［請求項５の発明］
請求項５の発明によれば、透明カバーを遊技者が操作可能な操作部に利用することが可能となる。
【００１９】
［請求項６の発明］
請求項６の発明によれば、外部光の影響を抑えて第１の装飾部を強く光らせることが可能となる。また、第１の装飾部を装飾投影面に投影させ易くすることが可能となる。
【図面の簡単な説明】
【００２０】
【図１】本発明の一実施形態に係るパチンコ遊技機の正面図
【図２】前面カバーの側面図
【図３】球貯留部の斜視図
【図４】操作ボタン装置の斜視図
【図５】球貯留部の平面図
【図６】（Ａ）待機位置の可動役物の正面図、（Ｂ）演出位置の可動役物の正面図
【図７】役物格納突部の底面図
【図８】（Ａ）第１装飾部を下方から見た図、（Ｂ）第２装飾部を上方から見た図
【図９】第１装飾部からの光が第２装飾部へ照射される様子を示す概念図
【図１０】変形例に係る１対の対向部材の（Ａ）正面図、（Ｂ）側面図
【図１１】変形例に係る第１装飾部が光る様子を示す概念図
【発明を実施するための形態】
【００２１】
以下、本発明の一実施形態を図１〜図９に基づいて説明する。図１に示すように、本実施形態のパチンコ遊技機１０（以下、「遊技機１０」という。）は、ガラス窓１０Ｇの周りを前枠１０Ｆにて囲んでなる前面カバー１０Ｃを備えている。前面カバー１０Ｃは、宇遊技領域Ｒ１が前面に形成された遊技盤１１を前方から覆い（図２参照）、ガラス窓１０Ｇを通して遊技領域Ｒ１が視認可能になっている。なお、本実施形態では、ガラス窓１０Ｇと前枠１０Ｆとが本発明の「視認部」と「枠部」に相当する。
【００２２】
図２に示すように、前枠１０Ｆの下辺部には、ガラス窓１０Ｇよりも前方に迫り出した球貯留部３０が設けられている。また、前枠１０Ｆの上辺部には、ガラス窓１０Ｇよりも前方に迫り出して球貯留部３０と上下方向で対向する役物格納突部６０が設けられている。役物格納突部６０と球貯留部３０とは、本発明の「１対の対向部材」に相当する。なお、図２では、前枠１０Ｆの左右の辺部に設けられた装飾部材が省略して示されている。
【００２３】
以下、球貯留部３０と役物格納突部６０の詳細について説明する。図３に示すように、球貯留部３０は、遊技球を貯留可能な上皿２６及び下皿２７を上下２段にして備え、下皿２７の右側に操作ハンドル２８を備えている。そして、操作ハンドル２８を回動操作すると、上皿２６に貯留された遊技球が遊技領域Ｒ１に向けて弾き出される。
【００２４】
遊技領域Ｒ１には、図示しない始動入賞口と大入賞口が備えられ、始動入賞口に遊技球が入球すると所定数の賞球が払い出されると共に、当否判定が行われる。大入賞口は、通常は、可動扉等で閉塞されて入球が困難な状態になっていて、上記当否判定の結果が当りとなったときに開放されて入球が容易な状態となる。また、遊技領域Ｒ１には、当否判定の結果に基づく演出が行われる表示部（図示せず）が設けられている。
【００２５】
図２に示すように、上皿２６は、球貯留部３０の上部の後側部分に配置されていて、球貯留部３０の上皿２６の前側部分には、十字キー３１、演出用操作ボタン３２、球排出ボタン３３、球貸ボタン３４、球貸用カードの返却ボタン３５を並べて備える操作パネル部３０Ｓが設けられている。
【００２６】
球排出ボタン３３が操作されると、上皿２６に収容されている遊技球が下皿２７へと移動する。球貸ボタン３４が操作されると、予め設定された数の遊技球が貸し出され、上皿２６に貯留される。返却ボタン３５が操作されると、球貸用カードが返却される。なお、球貸用カードは、パチンコホール内で遊技球を借りるためのカードであって、例えば、遊技機１０の左側に設置される球貸用サンドのカード挿入口に挿入されると、球貸用カードに記録されている残高分の遊技球を借りることが可能となる。また、球貸用カードは、返却ボタン３５が操作されると、球貸用サンドの返却口から返却される。
【００２７】
十字キー３１及び演出用操作ボタン３２は、遊技の進行に応じて実行される演出に使用される。その使用例としては、例えば、（ａ）実行する演出を複数種類の演出群の中から十字キー３２で選択させて演出用操作ボタン３２で決定させることや、（ｂ）（ａ）の例と同様にして、遊技中のＢＧＭを複数種類の楽曲の中から選択、決定させること等が挙げられる。
【００２８】
操作パネル部３０Ｓは、以下のようにして形成されている。即ち、各種ボタン３１〜３５を上部に備える複数種類の操作ボタン装置が球貯留部３０に組み付けられると共に、各種ボタン３１〜３５が球貯留部３０の上面から露出することで、操作パネル部３０Ｓが形成される。
【００２９】
図４には、演出用操作ボタン３２を備える操作ボタン装置４０が示されている。演出用操作ボタン３２は、上側に凸状に湾曲したドーム部４１Ｄを上部に有するカバー部材４１にて支持プレート４４の上方が覆われた構造になっていて、カバー部材４１が支持プレート４４に対して相対的に上下動可能となっている。そして、カバー部材４１が押圧操作されて下方に移動すると、操作ボタン装置４０の下部に備えた底ケース４５内の図示しないセンサにより押圧操作が検出される。
【００３０】
カバー部材４１の内側には、上下方向に扁平な盤状をなす装飾部材４２が備えられている。装飾部材４２の上面には、本発明に係る「第２の装飾部」としての第２装飾部５０が形成されている。また、カバー部材４１は、全体が透明になっていて、装飾部材４２は、カバー部材４１を通して遊技者に視認されるようになっている。即ち、本実施形態では、カバー部材４１が本発明の「透明カバー」及び「操作部」となっている。
【００３１】
図５には、球貯留部３０を上方から見た図が示されている。同図に示すように、装飾部材４２の第２装飾部５０がカバー部材４１介して視認されるようになっている。ここで、本実施形態では、図２に示すように、球貯留部３０の上面が前下がりに傾斜していて、装飾部材４２の上面が遊技者側を向くように配置されている。これにより、第２装飾部５０を遊技者に視認され易くすることが可能となっている。
【００３２】
図８（Ｂ）に示すように、第２装飾部５０は、中央部に配置された第２センター装飾部５１と、第２センター装飾部５１を四方から囲むように配置されたサブ装飾部５２とを備えている。具体的には、第２センター装飾部５１は、頂点が奥側に配置された正三角形状をなし、サブ装飾部５２は、略円形状をなしている。また、図４に示すように、第２センター装飾部５１の上面５１Ｍは、平坦になっていて、本発明に係る装飾投影面５３を構成している。
【００３３】
次に、役物格納突部６０（図２参照）について説明する。図６（Ａ）に示すように、役物格納突部６０には、上方に開口して可動役物６５を収容する役物収容部６１が形成されている。可動役物６５は、通常は、役物収容部６１内に格納されて遊技者から視認困難置に配置され、特定の演出条件が成立したときに、図６（Ｂ）に示すように、役物格納突部６０の外側に突出して遊技者に視認可能となる演出位置に配置される。
【００３４】
詳細には、可動役物６５は、１対の役物構成体６６，６６で構成されている。１対の役物構成体６６，６６は、可動役物６５が待機位置に配置された状態で、左右横並びに配置され、それら１対の役物構成体６６，６６の上端部同士がヒンジ６７を介して結合されている。この状態で、１対の役物構成体６６，６６は、役物収容部６１の上方開口を閉塞している。なお、役物格納突部６０の外面と、１対の役物構成体６６，６６の上側を向く面とには、同様の装飾が施されているので、待機位置における１対の役物構成体６６，６６の上側を向く面は役物格納突部６０の一部であるかのような印象を遊技者に付与することが可能となっている。
【００３５】
上記した特定の演出条件が成立すると、１対の役物構成体６６，６６は、ヒンジ６７を中心に上方に回転して役物格納突部６０の外側に突出する。そして、可動役物６５が演出位置に配置された状態（図６（Ｂ）参照）では、１対の役物構成体６６，６６が合体して１つの装飾（図６（Ｂ）の例では、第２装飾部４３と同様に、円形の縁の中に三角形のエンブレムを備えた装飾が示されている。）を形成する。
【００３６】
図７に示すように、役物格納突部６０の下面には、本発明の「第１の装飾部」としての第１装飾部７０が形成されている。第１装飾部７０は、中央部に配置された第１センター装飾部７１と、第１センター装飾部７１を四方から囲むように配置された第１サブ装飾部７２とを備えている。
【００３７】
具体的には、図８（Ａ）に示すように、第１センター装飾部７１は、頂点が奥側に配置された正三角形状をなし、第１サブ装飾部７２は、略円形状をなしている。また、図示はしないが、第１センター装飾部７１の下面７１Ｍは、平坦になっている。ここで、上述したように、第２センター装飾部５１は、頂点が奥側に配置された正三角形状になっていて、第１センター装飾部７１と第２センター装飾部５１とは前後方向で同じ向きに配置されている。図８（Ａ）と図８（Ｂ）の比較から明らかなように、本実施形態では、第１センター装飾部７１の下面７１Ｍが、第２センター装飾部５１の装飾投影面５３と同じ形状になっていて、第１センター装飾部７１の下面７１Ｍにより本発明に係る共通装飾面７３が構成されている。なお、本実施形態では、第１装飾部７０は第２装飾部５０と略同じ大きさになっていて、第１センター装飾部７１は第２センター装飾部５１と略同じ大きさになっている。
【００３８】
ところで、第１装飾部７０のうち第１センター装飾部７１を含む一部は透光性部材で構成されていて、役物格納突部６０に内蔵されたＬＥＤ７６（図９参照）が発光すると、第１装飾部７０が光るようになっている。具体的には、図６（Ａ）に示すように、役物収容部６１の底部には、第１装飾部７０の上側に重ねて配置されるＬＥＤ基板７５が備えられ、図９に示すように、そのＬＥＤ基板７５に実装された複数のＬＥＤ７４により第１装飾部７０が光る。なお、本実施形態では、ＬＥＤ７６が、本発明の「発光手段」及び「発光素子」に相当する。
【００３９】
第１装飾部７０が光ると、その光が第２装飾部５０に照射される。具体的には、図９に示すように、第２装飾部５０は、ＬＥＤ基板７５と第１装飾部７０とを結ぶ直線の延長線上に配置され、ＬＥＤ７４からの光は、第１装飾部７０の第１センター装飾部７１を透過して、第２センター装飾部５１の上面５１Ｍ、即ち、装飾投影面５３へと向かう。ここで、本実施形態では、第２装飾部５０は、上方へ凸状に湾曲したドーム部４１Ｄで上方を覆われているので、第１センター装飾部７１からの光は、ドーム部４１Ｄにて装飾投影面５３の中央部へと集光される。これらにより、第１装飾部７０における第１センター装飾部７１の装飾が、第２装飾部５０の装飾投影面５３に投影される。
【００４０】
なお、詳細には、第２装飾部５０が形成されている球貯留部３０の大きさ（前枠１０Ｆからの突出量）は、第１装飾部７０が形成されている役物格納突部６０の下面と垂直な方向、即ち、上下方向から見たときに、第１装飾部７０と装飾投影面５３の一部とが重なるように、第２装飾部５０を配置可能な大きさとなっている。これにより、第１装飾部７０を装飾投影面５３に投影させ易くすることができる。
【００４１】
図８（Ｂ）には、装飾投影面５３に投影された第１センター装飾部７１が薄灰色で示されている。同図に示されるように、装飾投影面５３には、第１センター装飾部７１の下面７１Ｍ、即ち、共通装飾面７３の形状が投影されている。ここで、上述の如く、共通装飾面７３の形状は、装飾投影面５３の三角形と同じ形状になっているので、第２装飾部５０に２つの装飾が重なるように見せることが可能となる。さらに、上述したように、本実施形態では、球貯留部３０の上面が前下がりに傾斜しているので、第２装飾部５０の装飾投影面５３が遊技者側を向くように配置され、装飾投影面５３に投影された第１装飾部７０の装飾を遊技者に見え易くすることが可能となる。
【００４２】
本実施形態の遊技機１０の構成に関する説明は以上である。次に、遊技機１０の作用効果について説明する。
【００４３】
本実施形態の遊技機１０によれば、前枠１０Ｆの上辺部に設けられた役物格納突部６０の下面と、前枠１０Ｆの下辺部に設けられた球貯留部３０の上面とに、第１装飾部７０と第２装飾部５０とを備え、ＬＥＤ７６により第１装飾部７０が光ったときに、第２装飾部５０に形成された装飾投影面５３に第１装飾部７０の第１センター装飾部７１が投影される。このように、本実施形態によれば、第１装飾部７０が光るだけでなく、その第１装飾部７０の装飾が第２装飾部５０の装飾投影面５２にも投影されるので、装飾部の装飾性を高めることが可能になる。
【００４４】
しかも、第１装飾部７０を光らせるＬＥＤ７６は、役物格納突部６０に内蔵され、ＬＥＤ７６と第１装飾部７０を結ぶ直線の延長線上に装飾投影面５３が配置されているので、第１装飾部７０（詳細には、第１センター装飾部７１の下面７１Ｍ）が装飾投影面５３に投影され易くすることが可能となる。
【００４５】
また、第２装飾部５０は、透光性材料により構成されて上側（即ち、第１装飾部７０側）に凸状に湾曲したドーム部４１Ｄを有するカバー部材４１に覆われているので、第１装飾部７０からの光をカバー部材４１によって装飾投影面５３に集光することが可能となる。しかも、カバー部材４１は、遊技の演出が行われる際に遊技者が操作可能な演出用操作ボタン３２となっているので、装飾投影面５３へ集光するカバー部材４１を、遊技者が操作可能な操作部にも利用することが可能となる。
【００４６】
さらに、本実施形態では、役物格納突部６０には、可動役物６５を収容する役物収容部６１が形成されているので、第１装飾部７０が形成された部材を可動役物６５の収容にも利用することが可能となる。
【００４７】
なお、本実施形態の構成をまとめると、本実施形態の遊技機１０は、下記［１］〜［１１］の構成を有している、と言える。
【００４８】
［１］遊技領域が前面に形成された遊技盤と、前記遊技盤より前側で前記遊技領域の少なくとも一部が前記遊技領域に対向した位置から視認可能となるように間隔をあけて配置された１対の対向部材と、前記１対の対向部材のうち互いに対向する面に形成されて、平行又は略平行に配置された第１と第２の装飾部と、前記第１の装飾部を光らせる発光手段と、を備え、前記第２の装飾部には、前記第１の装飾部が光ったときに前記第１の装飾部の装飾が投影される装飾投影面が形成されたことを特徴とする遊技機。
【００４９】
［１］の構成によれば、１対の対向部材のうち互いに対向する面に、平行又は略平行に配置された第１と第２の装飾部を備え、第１の装飾部が光ったときに、第２の装飾部に形成された装飾投影面に第１の装飾部の装飾が投映される。このように、本発明によれば、第１の装飾部が光るだけでなく、その第１の装飾部の装飾が第２の装飾部の装飾投影面にも投影されるので、装飾部の装飾性を高めることが可能になる。
【００５０】
［２］前記遊技盤の前方を覆い、かつ、前記遊技領域を視認可能にする視認部と前記視認部の四方を囲む枠部とを有した前面カバーを備え、前記１対の対向部材は、前記枠部のうち前記視認部を挟んで対向する部分から前方に突出することを特徴とする［１］に記載の遊技機。
【００５１】
［２］の構成によれば、遊技領域に他の部材を配置するスペースを確保することが可能になる。
【００５２】
［３］前記第１の装飾部が形成された前記対向部材の前記枠部からの突出量は、前記第１の装飾部が施される大きさであり、前記第２の装飾部が形成された前記対向部材の前記枠部からの突出量は、前記第１の装飾部が形成された前記対向部材の面と垂直な方向から見たときに前記第１の装飾部と前記装飾投影面の少なくとも一部とが重なるように、前記装飾投影面を配置可能な大きさであることを特徴とする［２］に記載の遊技機。
【００５３】
［３］の構成によれば、第１の装飾部を装飾投影面に投影させ易くすることが可能となる。
【００５４】
［４］前面カバーは、前記枠部の上辺部と下辺部とから前方に迫り出した上側迫出部と下側迫出部とを備え、前記１対の対向部材は、前記上側迫出部と前記下側迫出部とで構成され、前記第１の装飾部と前記第２の装飾部のうち一方の装飾部は、前記上側迫り出部の下面に形成されると共に、前記第１の装飾部と前記第２の装飾部のうち他方の装飾部は、前記下側迫出部の上面に形成されたことを特徴とする［２］又は［３］に記載の遊技機。
【００５５】
［４］の構成によれば、遊技機が設置される室内の照明によって第１の装飾部の光が相対的に弱まることを抑えることが可能となる。
【００５６】
［５］前記上側迫出部の内部には、可動役物を収容可能な役物収容部が形成され、前記可動役物は、通常は前記役物収容部に収容され、特定の演出条件が成立したときに、前記上側迫出部の外側に突出することを特徴とする［４］に記載の遊技機。
【００５７】
［５］の構成によれば、１対の対向部材のうち一方の対向部材を構成する可動役物の収容にも利用することが可能となる。
【００５８】
［６］前記下側迫出部の上面は、前下がりに傾斜していることを特徴とする［４］又は［５］に記載の遊技機。
【００５９】
［６］の構成によれば、第２装飾部に形成された装飾投影面を遊技者に見易くすることが可能になり、装飾投影面に投影された第１の装飾部の装飾を視認させ易くすることが可能となる。
【００６０】
［７］前記装飾投影面を前記第１の装飾部側から覆いかつ前記第１の装飾部側へ凸状に湾曲した透明カバーを備えたことを特徴とする［１］〜［６］のうち何れか１に記載の遊技機。
【００６１】
［７］の構成によれば、第１の装飾部からの光を透明カバーによって装飾投影面に集光することが可能となる。
【００６２】
［８］前記透明カバーは、前記第２の装飾部が形成された前記対向部材に設けられて、遊技者が操作可能な操作部であることを特徴とする［７］に記載の遊技機。
【００６３】
［８］の構成によれば、透明カバーを遊技者が操作可能な操作部に利用することが可能となる。
【００６４】
［９］前記第１の装飾部は、前記装飾投影面と同一又は類似の形状をなす共通装飾面を有し、前記装飾投影面に前記第１の装飾部の前記共通装飾面が投影され、前記共通装飾面及び前記装飾投影面は、前後の中心線に対して非対称な形状をなし、前記共通装飾面は、前後方向で前記装飾投影面と同じ向きに配置されたことを特徴とする［１］〜［８］うち何れか１に記載の遊技機。
【００６５】
［９］の構成によれば、装飾投影面と同一又は類似の形状をなす共通装飾面が装飾投影面に投影されるので、２つの装飾が重なるように見せることが可能になる。
【００６６】
［１０］前記発光手段は、前記第１の装飾部が形成された前記対向部材に内蔵された発光素子であり、前記第１の装飾部が形成された前記対向部材の大きさは、前記第１の装飾部が施される大きさであり、前記第２の装飾部が形成された前記対向部材の大きさは、前記第１の装飾部が形成された前記対向部材の面と垂直な方向から見たときに前記第１の装飾部と前記装飾投影面の少なくとも一部とが重なるように、前記装飾投影面を配置可能な大きさであることを特徴とする［１］〜［９］のうち何れか１に記載の遊技機。
【００６７】
［１０］の構成によれば、外部光の影響を抑えて第１の装飾部を強く光らせることが可能となる。また、第１の装飾部を装飾投影面に投影させ易くすることが可能となる。
【００６８】
［１１］前記装飾投影面は、前記発光素子と前記第１の装飾部とを結ぶ直線の延長線上に配置されたことを特徴とする［１０］に記載の遊技機。
【００６９】
［１１］の構成によれば、第１の装飾面の装飾を装飾投影面に投影され易くすることが可能となる。
【００７０】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００７１】
（１）上記実施形態では、本発明をパチンコ遊技機に適用した例を示したが、スロットマシンやアレンジボール等の遊技機に適用してもよい。
【００７２】
（２）上記実施形態では、第１装飾部７０の共通装飾面７３（第１センター装飾部７１の下面７１Ｍ）と、第２装飾部５０の装飾投影面５３（第２センター装飾部５１の上面５１Ｍ）とが、同じ形状であったが、例えば、正三角形と二等辺三角形、平行四辺形と菱形等のように類似した形状であってもよいし、例えば、円形状と非円形状、多角形状と円形状、互いに辺の数が異なる多角形状のように、異なる形状であってもよい。
【００７３】
（３）上記実施形態において、第１装飾部７０の共通装飾面７３（第１センター装飾部７１の下面７１Ｍ）と、第２装飾部５０の装飾投影面５３（第２センター装飾部５１の上面５１Ｍ）とは、前後の中心線に対して非対称な形状であれば、例えば、台形状や星形状であってもよい。
【００７４】
（４）上記実施形態では、本発明に係る「１対の対向部材」が、前枠１０Ｆの上辺部と下辺部とに配置されていてが、左右の辺部に配置されてもよいし、対角線上に配置されてもよい。なお、上記実施形態の構成によれば、遊技機１０が設置される室内の照明によって第１装飾部７０の光が相対的に弱まることを抑えることが可能となる。
【００７５】
（５）図１０（Ａ）及び図１０（Ｂ）に示すように、遊技盤１１の前面から突出する１対の対向突部１１Ｔ，１１Ｔを設け、それら１対の対向突部１１Ｔ，１１Ｔを本発明の「１対の対向部材」としてもよい。なお、図１０（Ａ）の例では、１対の対向突部１１Ｔ，１１Ｔは、遊技領域Ｒ１の上部と下部に配置されているが、左右の両側部に配置されてもよいし、遊技盤１１の対角線上に配置されてもよい。
【００７６】
（６）上記実施形態では、演出位置に配置された可動役物６５は、役物格納突部６０の上方に突出する構成であったが、役物格納突部６０の側方又は下方に突出する構成であってもよい。
【００７７】
（７）上記実施形態において、カバー部材４１を備えずに、第２装飾部５０が露出する構成としてもよい。
【００７８】
（８）上記実施形態では、第２装飾部５０を覆うカバー部材４１が、演出用操作ボタン３２としても利用されていたが、単なる装飾として備えられていてもよい。
【００７９】
（９）上記実施形態では、第１装飾部７０がＬＥＤ７６からの光を透過させ、その透過光が第２装飾部５０の装飾投影面５３に投影される構成であったが、図１１に示すように、第１装飾部７０が光源９０からの光を反射し、その反射光が第２装飾部５０の装飾投影面に投影される構成であってもよい。なお、光源９０は、前枠１０Ｆに取り付けられてもよいし、遊技盤１１に取り付けられてもよい。
【００８０】
（１０）上記実施形態では、第１装飾部７０からの光が第２装飾部５０に投影される構成であったが、例えば、装飾部材４２に本発明の「発光素子」としてのＬＥＤを内蔵して第２装飾部５０を光らせるようにして、第２装飾部５０からの光が第１装飾部７０に投影される構成としてもよい。その際、第２装飾部５０のみを光らせるようにしてもよいし、第１装飾部７０と第２装飾部７０の両方を光らせる構成として、一方の装飾部からの光を他方の装飾部に投影すると共に、他方の装飾部からの光を一方の装飾部に投影する構成としてもよい。
【００８１】
（１１）上記実施形態では、本発明の「透明カバー」に相当するカバー部材４１がドーム状であったが、装飾投影面５３に集光可能な形状、即ち、第１装飾部７０側に凸状に湾曲した形状であればよく、例えば、瓦状であってもよい。
【符号の説明】
【００８２】
１０    パチンコ遊技機
１０Ｃ    前面カバー
１０Ｆ    前枠（枠部）
１１    遊技盤
３０    球貯留部（対向部材）
４１    カバー部材（透明カバー、操作部）
５０    第２装飾部
５３    装飾投影面
６０    役物格納突部（対向部材）
７０    第１装飾部
７３    共通装飾面
７６    ＬＥＤ（発光手段、発光素子）
Ｒ１    遊技領域
【図１】
0006040479.tif 000002
【図２】
0006040479.tif 000003
【図３】
0006040479.tif 000004
【図４】
0006040479.tif 000005
【図５】
0006040479.tif 000006
【図６】
0006040479.tif 000007
【図７】
0006040479.tif 000008
【図８】
0006040479.tif 000009
【図９】
0006040479.tif 000010
【図１０】
0006040479.tif 000011
【図１１】
0006040479.tif 000012